(57)【要約】本発明は、低コストかつ簡便に製造することができ、広い視角範囲において高いコントスラト比を実現することができる液晶表示装置の製造方法、及び、液晶表示装置を提供する。本発明は、第一の偏光子、第一種の複屈折層、液晶セル、第二種の複屈折層、及び、上記第一の偏光子の吸収軸に対して吸収軸が直交する第二の偏光子をこの順に有する液晶表示装置を製造する方法であって、上記製造方法は、正の固有複屈折を持つ材料で構成される原反フィルムを横延伸することで第一種の複屈折層を製造し、第一の偏光子と第一種の複屈折層とをロール・ツー・ロールで貼り合わせる第一の工程、及び、負の固有複屈折を持つ材料で構成される原反フィルムを横延伸することで第二種の複屈折層を製造し、第二の偏光子と第二種の複屈折層とをロール・ツー・ロールで貼り合わせる第二の工程の少なくとも一方を含む液晶表示装置の製造方法である。
2009098804.tif 000002
【特許請求の範囲】
【請求項１】
第一の偏光子、第一種の複屈折層、液晶セル、第二種の複屈折層、及び、該第一の偏光子の吸収軸に対して吸収軸が直交する第二の偏光子をこの順に有する液晶表示装置を製造する方法であって、
該第一種の複屈折層は、正の固有複屈折を持つ材料で構成され、
該第二種の複屈折層は、負の固有複屈折を持つ材料で構成され、
該製造方法は、該第一の偏光子用の原反フィルムを縦延伸することで該第一の偏光子を製造し、該第一種の複屈折層用の原反フィルムを横延伸することで該第一種の複屈折層を製造し、該第一の偏光子と該第一種の複屈折層とをロール・ツー・ロールで貼り合わせる第一の工程、及び、
該第二の偏光子用の原反フィルムを縦延伸することで該第二の偏光子を製造し、該第二種の複屈折層用の原反フィルムを横延伸することで該第二種の複屈折層を製造し、該第二の偏光子と該第二種の複屈折層とをロール・ツー・ロールで貼り合わせる第二の工程の少なくとも一方を含むことを特徴とする液晶表示装置の製造方法。
【請求項２】
前記第一種の複屈折層は、１．１≦Ｎｚ（５５０）≦２を満たし、面内遅相軸が前記第一の偏光子の吸収軸に対して９０°の角度をなし、
前記第二種の複屈折層は、−１≦Ｎｚ（５５０）≦−０．１を満たし、面内遅相軸が前記第二の偏光子の吸収軸に対して０°の角度をなすことを特徴とする請求項１記載の液晶表示装置の製造方法。
【請求項３】
第一の偏光子、第一種の複屈折層、液晶セル、第二種の複屈折層、及び、該第一の偏光子の吸収軸に対して吸収軸が直交する第二の偏光子をこの順に有する液晶表示装置であって、
該第一種の複屈折層は、１．１≦Ｎｚ（５５０）≦２を満たし、面内遅相軸が該第一の偏光子の吸収軸に直交し、
該第二種の複屈折層は、−１≦Ｎｚ（５５０）≦−０．１を満たし、面内遅相軸が該第二の偏光子の吸収軸と平行であることを特徴とする液晶表示装置。
【請求項４】
前記第一種の複屈折層は、正の固有複屈折を持つ材料で構成されることを特徴とする請求項３記載の液晶表示装置。
【請求項５】
前記第二種の複屈折層は、負の固有複屈折を持つ材料で構成されることを特徴とする請求項３又は４記載の液晶表示装置。
【請求項６】
前記液晶表示装置は、前記第一種の複屈折層のＮｚ（５５０）と前記第二種の複屈折層のＮｚ（５５０）との相加平均をＮｚ’（５５０）と定義するとき、０≦Ｎｚ’（５５０）≦１を満たすことを特徴とする請求項３〜５のいずれかに記載の液晶表示装置。
【請求項７】
前記液晶表示装置は、０．３≦Ｎｚ’（５５０）≦０．７を満たすことを特徴とする請求項６記載の液晶表示装置。
【請求項８】
前記第一種の複屈折層及び前記第二種の複屈折層の少なくとも一方は、|Ｒｘｙ（５５０）|≦１３０ｎｍを満たすことを特徴とする請求項３〜７のいずれかに記載の液晶表示装置。
【請求項９】
前記液晶表示装置は、前記第一種の複屈折層の二軸性パラメータΔＮｚ１を|Ｎｚ（５５０）−１|と定義し、前記第二種の複屈折層の二軸性パラメータΔＮｚ２を|Ｎｚ（５５０）|と定義するとき、ΔＮｚ１＝ΔＮｚ２を満たすことを特徴とする請求項８記載の液晶表示装置。
【請求項１０】
前記液晶表示装置は、前記第一種の複屈折層の二軸性パラメータΔＮｚ１を|Ｎｚ（５５０）−１|と定義し、前記第二種の複屈折層の二軸性パラメータΔＮｚ２を|Ｎｚ（５５０）|と定義するとき、ΔＮｚ１＜ΔＮｚ２を満たすことを特徴とする請求項８記載の液晶表示装置。
【請求項１１】
前記液晶表示装置は、前記第一種の複屈折層の二軸性パラメータΔＮｚ１を|Ｎｚ（５５０）−１|と定義し、前記第二種の複屈折層の二軸性パラメータΔＮｚ２を|Ｎｚ（５５０）|と定義するとき、ΔＮｚ１＞ΔＮｚ２を満たすことを特徴とする請求項８記載の液晶表示装置。
【請求項１２】
前記第一種の複屈折層及び前記第二種の複屈折層の少なくとも一方は、|Ｒｘｙ（４５０）|≦|Ｒｘｙ（５５０）|≦|Ｒｘｙ（６５０）|を満たすことを特徴とする請求項３〜１１のいずれかに記載の液晶表示装置。
【請求項１３】
前記液晶表示装置は、前記第一種の複屈折層の波長分散性α＝Ｒｘｙ（４５０）／Ｒｘｙ（５５０）と前記第二種の複屈折層の波長分散性α＝Ｒｘｙ（４５０）／Ｒｘｙ（５５０）との相加平均をα’と定義し、前記第一種の複屈折層の波長分散性β＝Ｒｘｙ（６５０）／Ｒｘｙ（５５０）と前記第二種の複屈折層の波長分散性β＝Ｒｘｙ（６５０）／Ｒｘｙ（５５０）との相加平均をβ’と定義するとき、α’≦１かつ１≦β’を満たすことを特徴とする請求項３〜１２のいずれかに記載の液晶表示装置。
【請求項１４】
前記液晶表示装置は、前記液晶セル中の液晶分子を基板面に垂直に配向させることで黒表示を行うものであり、前記第一の偏光子と前記第二の偏光子との間に、Ｒｘｙ≦１０ｎｍかつＲｘｚ≧１００ｎｍを満たす第三種の複屈折層を有することを特徴とする請求項３〜１３のいずれかに記載の液晶表示装置。
【請求項１５】
前記第三種の複屈折層は、前記液晶セルと隣接配置されていることを特徴とする請求項１４記載の液晶表示装置。
【発明の詳細な説明】
【技術分野】
【０００１】
本発明は、液晶表示装置の製造方法、及び、液晶表示装置に関する。より詳しくは、クロスニコル配置された一対の偏光子間に複屈折層を有する液晶表示装置の製造方法、及び、液晶表示装置に関するものである。
【背景技術】
【０００２】
液晶表示装置は、コンピュータやテレビジョンをはじめとする様々な情報処理装置の表示装置として、広く用いられている。特にＴＦＴ方式の液晶表示装置（以下「ＴＦＴ−ＬＣＤ」ともいう）が広く普及し、市場の一層の拡大が期待されており、これに伴って、画質のより一層の向上が要望されている。以下、ＴＦＴ−ＬＣＤを例として説明するが、本発明は、ＴＦＴ−ＬＣＤに限定されるものではなく、単純マトリクス方式のＬＣＤや、プラズマアドレス方式のＬＣＤ等にも適用可能であり、一般的に、それぞれに電極が形成された一対の基板間に液晶を狭持し、それぞれの電極間に電圧を印加することで表示を行うＬＣＤ全般に適用可能なものである。【０００３】
現在まで、ＴＦＴ−ＬＣＤで最も広く使用されてきた方式は、正の誘電率異方性を有する液晶を、相互に対向する基板間に水平配向させた、いわゆるＴＮモードであった。ＴＮモードの液晶表示装置は、一方の基板に隣接する液晶分子の配向方向が、他方の基板に隣接する液晶分子の配向方向に対して９０°ツイストしていることを特徴とする。このようなＴＮモードの液晶表示装置では、安価な製造技術も確立し、産業的には成熟しているが、高いコントラスト比を実現することが難しいという点で改善の余地がある。【０００４】
これに対し、負の誘電率異方性を有する液晶を、相互に対向する基板間に垂直配向させた、いわゆるＶＡモードの液晶表示装置が開示されている。ＶＡモードの液晶表示装置においては、電圧無印加時において、液晶分子が基板面に対し略垂直な方向に配向しているため、液晶セルはほとんど複屈折性も旋光性も示さず、光はその偏光状態をほとんど変化させることなく液晶セルを通過する。従って、液晶セルの上下に一対の偏光子をその吸収軸が互いに直交するように配することにより、電圧無印加時において、略完全な黒表示状態を実現できる。電圧印加時には、液晶分子が傾斜して基板に略平行となり、大きな複屈折性を示して白表示となる。従って、このようなＶＡモードの液晶表示装置は、ＴＮモードでは不可能な、非常に高いコントラスト比を容易に実現することができる。【０００５】
しかしながら、ＶＡモードの液晶表示装置においては、視野角の拡大が難しいという点で改善の余地があった。上述したように、電圧無印加時において、正面方向では液晶セルがほとんど複屈折性を示さず、また一対の偏光子も完全に直交するため、略完全な黒表示状態が実現されるが、斜め方向では液晶セルが複屈折性を示し、見かけ上位相差を有することとなり、また一対の偏光子の幾何学的な相対関係も見かけ上直交ではなくなるために光漏れしてコントラスト比が低下し、結果として視野角が狭くなるためである。【０００６】
そのため、ＶＡモードの液晶表示装置には、液晶セルの斜め方向における余分な位相差のキャンセルや、クロスニコル配置された偏光子の直交性を斜め方向において保持する目的で、位相差フィルムが設けられることが多い。例えば、垂直配向液晶セルの両側に偏光子を配し、該偏光子と該液晶セルとの間に、面内に光軸をもち異常光屈折率＞常光屈折率の１軸性位相差フィルム（いわゆるポジティブＡプレート）、面外（フィルム法線方向）に光軸をもち異常光屈折率＜常光屈折率の１軸性位相差フィルム（いわゆるネガティブＣプレート）、又は、２軸性位相差フィルムのいずれかを少なくとも１枚配することにより、視野角を拡大する技術が開示されている（例えば、特許文献１〜３参照。）。また、複数枚の位相差フィルムを組み合わせた技術としては、ポジティブＡプレート及びポジティブＣプレートを配する技術（例えば、特許文献４参照。）、ネガティブＡプレート及びネガティブＣプレートを配する技術（例えば、特許文献５参照。）、面内位相差＝２５０〜３００ｎｍ、Ｎｚ＝０．１〜０．４なる複屈折特性を有する二軸性の位相差板と、面内位相差＝２５０〜３００ｎｍ、Ｎｚ＝０．６〜１．１なる複屈折特性を有する二軸性の位相差板とを配する技術（例えば、特許文献６参照。）が開示されている。【０００７】
また、ＶＡモード以外の液晶表示装置として、表面に平行配向処理を施した上下２枚の基板間に液晶を狭持した水平配向液晶セルに横方向電界を印加し、液晶分子を基板に対して略平行な面内で回転動作させて表示を行う、いわゆるＩＰＳモードの液晶表示装置が開示されている。ＩＰＳモードの液晶表示装置においては、液晶分子は基板と常に略平行のまま、液晶分子の長軸方向と偏光子の吸収軸とのなす角を変化させることにより表示を行うため、斜め方向においても液晶セルの複屈折の変化が少なく、視野角が広い。【０００８】
しかしながら、ＩＰＳモードの液晶表示装置においても、ＶＡモードの液晶表示装置と同様に、コントラスト比を高めるために、一対の偏光子を直交（クロスニコル）配置するものの、斜め方向においては、一対の偏光子の幾何学的な相対関係が見かけ上直交ではなくなるため、黒表示時に光漏れしてコントラスト比が低下するという点で改善の余地がある。そのため、このようなコントラスト比の低下を改善するため、ＩＰＳモードの液晶表示装置においても位相差フィルムを設けることが検討されており、例えば、偏光子と液晶セルとの間に、面内位相差と厚み方向位相差とを制御した適当な２軸性位相差フィルム（面内リタデーションが１９０〜３９０ｎｍであり、Ｎｚ＝０．３〜０．６５）を配する技術が開示されている（例えば、特許文献７参照。）。また、複数枚の位相差フィルムを組み合わせた技術としては、観察面側偏光子（吸収軸９０°）と背面側偏光子（吸収軸０°）との間に、ネガティブ一軸性Ａプレート（光学軸０°）とポジティブ一軸性Ａプレート（光学軸９０°）とを配置する技術が開示されている（例えば、非特許文献１参照。）。更に、Ｎｚ（５５０）＝１を満たす正の略一軸性光学フィルム、Ｎｚ（５５０）＝−０．３を満たす負の光学フィルム及び偏光フィルムが少なくともこの順に積層されてなり、かつ、正の略１軸性光学フィルムの遅相軸、及び、負の光学フィルムの遅相軸が偏光フィルムの吸収軸といずれも略平行である積層偏光フィルム（以下「第一の積層偏光フィルム」とする。）、並びに、Ｎｚ（５５０）＝０を満たす負の略一軸性光学フィルム、Ｎｚ（５５０）＝１．２〜１．３を満たす正の光学フィルム、及び、偏光フィルムが少なくともこの順に積層されてなり、かつ、負の略１軸性光学フィルムの遅相軸、及び、正の光学フィルムの遅相軸が偏光フィルムの吸収軸といずれも略平行である積層偏光フィルム（以下「第二の積層偏光フィルム」とする。）が開示されている（例えば、特許文献８及び９参照。）。
【特許文献１】米国特許第６１４１０７５号明細書
【特許文献２】米国特許第６６６１４８８号明細書
【特許文献３】米国特許第７０５７６８９号明細書
【特許文献４】国際公開第０６／００１４４８号パンフレット
【特許文献５】特表２００６−５１４７５４号公報
【特許文献６】特開２００１−３５００２２号公報
【特許文献７】特開平１１−３０５２１７号公報
【特許文献８】特開２００７−２３２８７３号公報
【特許文献９】特開２００７−２３２８７４号公報
【非特許文献１】ＸｉＮｚｈｕ、外１名、「Ｓｕｐｅｒ  Ｗｉｄｅ  Ｖｉｅｗ  Ｉｎ−ｐｌａｎｅ  Ｓｗｉｔｃｈｉｎｇ  ＬＣＤ  ｗｉｔｈ  Ｐｏｓｉｔｉｖｅ  ａｎｄ  Ｎｅｇａｔｉｖｅ  Ｕｎｉａｘｉａｌ  Ａ−Ｆｉｌｍｓ  Ｃｏｍｐｅｎｓａｔｉｏｎ」、ＳＩＤ  ０５  ＤＩＧＥＳＴ、ｐ．１１６４−１１６７
【発明の開示】
【発明が解決しようとする課題】
【０００９】
ところで、一般的に偏光子は、ポリビニルアルコール（ＰＶＡ）フィルムに２色性を有するヨウ素錯体等の異方性材料を吸着配向させたものであるため、機械強度及び耐湿熱性等が弱い。そのため、偏光子は、通常、トリアセチルセルロース（ＴＡＣ）フィルム等の保護フィルムで両側をサンドイッチするように貼合された状態で製造される。しかしながら、ＴＡＣフィルム等の保護フィルムは、余分な位相差を有する（面外位相差が３０〜８０ｎｍ程度のネガティブＣプレートである）ため、光学補償の精度を高める観点からも、低コスト化の観点からも、本来はこの保護フィルムを省略することが望ましい。【００１０】
しかしながら、特許文献１〜７及び非特許文献１では、偏光子に複屈折層（位相差フィルム）を枚葉貼合すると分かっている場合であっても、図９に示すように、ＴＡＣフィルム１０等の保護フィルムを省略することができないため、光学補償の精度を高めることができないだけでなく、高コストの負担を余儀なくされるという点で改善の余地があった。なお、光学補償の精度を高めることを目的として、図１０に示すように、保護フィルムとして、位相差が少ない保護フィルム（「ゼロ位相差保護フィルム」、「無配向保護フィルム」等という。）２４を用いることも検討されている。しかしながら、ゼロ位相差保護フィルム２４の製造方法は一般に複雑であるため、高コスト化を助長してしまうという点で改善の余地があった。【００１１】
これらに対し、特許文献８及び９の積層偏光フィルムによれば、ＩＰＳモードの液晶表示装置の視野角拡大を可能にするとともに、上記第一の積層偏光フィルムの場合には、正の略一軸性光学フィルムと負の光学フィルムと偏光フィルム（偏光子）とをロール・ツー・ロールで貼り合わせることができ、上記第二の積層フィルムの場合には、負の略一軸性光学フィルムと正の光学フィルムと偏光フィルム（偏光子）とをロール・ツー・ロールで貼り合わせることができるため、保護フィルムをいくつか省略することができる。しかしながら、ＩＰＳモードの液晶表示装置の場合、黒表示時に液晶セルを光学的に機能させないようにするには、正の光学フィルム及び負の光学フィルムの両方を液晶セルに対して一方の側に配置する必要があるため、正の光学フィルム及び負の光学フィルムが配置された側では、保護フィルムを省略することができるものの、他方の側では保護フィルムを全く削減することができないという点で改善の余地があった。【００１２】
また、特許文献４〜６の技術によれば、各位相差層（ポジティブＣプレート以外）に必要とされる位相差|Ｒｘｙ（５５０）|が大きいため、逆波長分散位相差フィルム（広帯域位相差フィルム）の製造が一般的に難しいという点で改善の余地があった。逆波長分散位相差フィルムは、本質的に位相差を発現しにくいからである。また、特許文献４の技術によれば、ポジティブＣプレートを製造するのに、膜厚方向に屈折率が大きくなるような特殊な延伸方法が必要となるため、一般的に製造が難しいという点でも改善の余地があった。【００１３】
更に、特許文献７の構成によれば、材料が限定されるうえに、Ｎｚ≒０．５に制御するにはｎｘ＞ｎｚ＞ｎｙとする必要があるが、ｎｘ＞ｎｚ＞ｎｙとするには、特殊延伸が必要になるため、作製が困難になるおそれがあるという点で改善の余地があった。そして、非特許文献１の構成によれば、ポジティブ一軸性Ａプレート及びネガティブ一軸性Ａプレートの位相差|Ｒｘｙ（５５０）|が低減されているものの、単波長（通常５５０ｎｍ付近）でのみ位相差条件が最適設計されているため、設計波長以外では黒表示時に光漏れが起こり、黒表示時に斜め方向において着色（色付き）が発生するという点で改善の余地があった。【００１４】
本発明は、上記現状に鑑みてなされたものであり、低コストかつ簡便に製造することができるとともに、広い視角範囲において高いコントスラト比を実現することができる液晶表示装置の製造方法、及び、液晶表示装置を提供することを目的とするものである。
【課題を解決するための手段】
【００１５】
本発明者は、低コストかつ簡便に製造することができるとともに、広い視角範囲において高いコントスラト比を実現することができる液晶表示装置の製造方法について種々検討したところ、第一の偏光子用の原反フィルムを縦延伸することで第一の偏光子を製造し、正の固有複屈折を持つ材料で構成される第一種の複屈折層用の原反フィルムを横延伸することで第一種の複屈折層を製造し、上記第一種の複屈折層と第一の偏光子とをロール・ツー・ロールで貼り合わせる第一の工程、及び、第二の偏光子用の原反フィルムを縦延伸することで第二の偏光子を製造し、負の固有複屈折を持つ材料で構成される第二種の複屈折層用の原反フィルムを横延伸することで第二種の複屈折層を製造し、上記第二種の複屈折層と第二の偏光子とをロール・ツー・ロールで貼り合わせる第二の工程の少なくとも一方を行うことにより、第一の偏光子又は第二の偏光子自体の機械強度及び耐湿熱性が弱い場合であっても、例えば図１１に示すように、第一種の複屈折層２１及び第二種の複屈折層２２をそれぞれ第一の偏光子１１及び第二の偏光子１２の保護フィルムとして用いることで、すなわち、第一種の複屈折層２１、第一の偏光子１１及びＴＡＣフィルム（保護フィルム）１０をこの順に接着剤５により貼り合わせた偏光板と、第二種の複屈折層２２、第二の偏光子１２及びＴＡＣフィルム（保護フィルム）１０をこの順に接着剤５により貼り合わせた偏光板とを用いることで、保護フィルムの枚数を低減することができ、その結果、低コスト化及び性能向上を実現することができることを見いだした。また、上記製造方法によれば、延伸という簡便な方法によって第一の複屈折層及び第二の複屈折層のＮｚ係数をそれぞれ適切に調整することができ、第一の複屈折層と第一の偏光子との軸関係、及び、第二の複屈折層と第二の偏光子との軸関係についても適切に調整することができる。その結果、上記製造方法を用いて製造された液晶表示装置によれば、正面方向における第一の偏光子と第二の偏光子との直交性を保持しつつ、斜め方向においても第一の偏光子と第二の偏光子との直交性を保持することができ、広い視角範囲において高いコントラスト比を実現することができることを見いだし、上記課題をみごとに解決することができることに想到し、本発明に到達したものである。【００１６】
すなわち、本発明は、第一の偏光子、第一種の複屈折層、液晶セル、第二種の複屈折層、及び、上記第一の偏光子の吸収軸に対して吸収軸が直交する第二の偏光子をこの順に有する液晶表示装置を製造する方法であって、上記第一種の複屈折層は、正の固有複屈折を持つ材料で構成され、上記第二種の複屈折層は、負の固有複屈折を持つ材料で構成され、上記製造方法は、上記第一の偏光子用の原反フィルムを縦延伸することで上記第一の偏光子を製造し、上記第一種の複屈折層用の原反フィルムを横延伸することで上記第一種の複屈折層を製造し、上記第一の偏光子と上記第一種の複屈折層とをロール・ツー・ロールで貼り合わせる第一の工程、及び、上記第二の偏光子用の原反フィルムを縦延伸することで上記第二の偏光子を製造し、上記第二種の複屈折層用の原反フィルムを横延伸することで上記第二種の複屈折層を製造し、上記第二の偏光子と上記第二種の複屈折層とをロール・ツー・ロールで貼り合わせる第二の工程の少なくとも一方を含む液晶表示装置の製造方法である。
以下に本発明を詳述する。【００１７】
本発明の液晶表示装置の製造方法は、第一の偏光子、第一種の複屈折層、液晶セル、第二種の複屈折層、及び、上記第一の偏光子の吸収軸に対して吸収軸が直交する第二の偏光子をこの順に有する液晶表示装置を製造するものである。上記液晶表示装置において、第一種の複屈折層が第一の偏光子の保護フィルムとして機能し、第二種の複屈折層が第二の偏光子の保護フィルムとして機能する場合、第一種及び第二種の複屈折層の両方が液晶セルに対して第一又は第二の偏光子の側にのみ配置される形態に比べて、ＴＡＣフィルム等の保護フィルムの枚数を低減することができる。本発明の液晶表示装置のような積層構造は、液晶セル中の液晶分子を基板面に対して平行に配向させることで黒表示を行うＩＰＳモード等の液晶表示装置には採用することができず、液晶セル中の液晶分子を基板面に対して垂直に配向させることで黒表示を行う液晶表示装置にのみ採用することができる。したがって、保護フィルムの枚数を低減するためには、上記液晶表示装置は、液晶セル中の液晶分子を基板面に対して垂直に配向させることで黒表示を行うものであることが好ましい。液晶セル中の液晶分子を基板面に垂直に配向させることで黒表示を行う液晶表示モードとしては、ＴＮモード、ＥＣＢモード、ＶＡモード、ＯＣＢモード等が挙げられる。このように、本明細書で「液晶分子を基板面に対して垂直に配向させる」とは、液晶分子を基板面に対して厳密に垂直に配向させる必要はなく、液晶分子を基板面に対して実質的に垂直に配向させてもよい。本明細書で「偏光子」とは、自然光を直線偏光に変える機能を有する素子のことである。第一及び第二の偏光子は、いずれがポーラライザ（背面側の偏光子）であってもよく、アナライザ（観察面側の偏光子）であってもよい。液晶セルは、通常、一対の基板と、上記一対の基板間に挟まれた液晶層とを有するものである。第一の偏光子と第二の偏光子とは、吸収軸が互いに直交するように配置（クロスニコル配置）されており、液晶セルは、電圧無印加時において正面方向では複屈折性を示さないため、本発明の液晶表示装置は、電圧無印加時に正面方向において略完全な黒表示状態を実現することができる。なお、本明細書で、ある二つの軸又は方向が直交する（直交である）とは、両軸又は両方向のなす角が厳密に９０°であることが好ましいが、必ずしも厳密に９０°である必要はなく、両軸又は両方向が実質的に直交していればよい。具体的には、９０°から±１°の範囲内であれば本発明の作用効果が充分に得られる。また、本明細書で、ある二つの軸又は方向が平行である（平行する）とは、両軸又は両方向のなす角が厳密に０°であることが好ましいが、必ずしも厳密に０°である必要はなく、両軸又は両方向が実質的に平行であればよい。具体的には、０°から±１°の範囲内であれば本発明の作用効果が充分に得られる。本明細書で「複屈折層」とは、光学的異方性を有する層のことであり、位相差フィルム、位相差板、光学異方性層、複屈折媒体等と同義である。【００１８】
上記第一種の複屈折層は、正の固有複屈折を持つ材料で構成され、上記第二種の複屈折層は、負の固有複屈折を持つ材料で構成され、上記製造方法は、上記第一の偏光子用の原反フィルムを縦延伸することで上記第一の偏光子を製造し、上記第一種の複屈折層用の原反フィルムを横延伸することで上記第一種の複屈折層を製造し、上記第一の偏光子と上記第一種の複屈折層とをロール・ツー・ロールで貼り合わせる第一の工程、及び、上記第二の偏光子用の原反フィルムを縦延伸することで上記第二の偏光子を製造し、上記第二種の複屈折層用の原反フィルムを横延伸することで上記第二種の複屈折層を製造し、上記第二の偏光子と上記第二種の複屈折層とをロール・ツー・ロールで貼り合わせる第二の工程の少なくとも一方を含む。このようにロール・ツー・ロールで連続的に接着処理することにより、偏光子と複屈折層とをそれぞれ所望のサイズに切り出してから粘着剤を用いて枚葉貼合する（それぞれ所望サイズに切り出された偏光子と複屈折層とを接着剤を用いて一枚一枚貼り合わせる）よりも、製造コストを削減することができる。また、第一種の複屈折層及び第二種の複屈折層をそれぞれ第一の偏光子及び第二の偏光子の保護フィルムとして用いることにより、保護フィルムの枚数を低減することができるため、低コスト化及び性能向上を実現することができる。【００１９】
更に、上記製造方法により製造される液晶表示装置によれば、正面方向における第一の偏光子と第二の偏光子との直交性を保持しつつ、斜め方向においても第一の偏光子と第二の偏光子との直交性を保持することができるため、広い視角範囲において高いコントスラト比を実現することができる。以下、具体的に説明する。本発明においては、第一の偏光子及び第二の偏光子として、ポリビニルアルコール（ＰＶＡ）フィルムに２色性を有するヨウ素錯体等の異方性材料を吸着配向させた、いわゆるＯタイプ偏光子を用いることを前提としているため、第一の偏光子及び第二の偏光子用の原反フィルムの延伸方向は、第一の偏光子及び第二の偏光子の吸収軸方向となる。これに対し、第一種の複屈折層用の原反フィルムは、正の固有複屈折を持つ材料で構成されるため、第一種の複屈折層用の原反フィルムの延伸方向は、第一種の複屈折層の面内遅相軸方向となる。また、第二種の複屈折層用の原反フィルムは、負の固有複屈折を持つ材料で構成されるため、第二種の複屈折層用の原反フィルムの延伸方向は、第二種の複屈折層の面内遅相軸に直交する方向（面内進相軸方向）となる。そうすると、上記製造方法において、第一の偏光子用の原反フィルムの延伸方向と第一種の複屈折層用の原反フィルムの延伸方向とは直交し、第二の偏光子用の原反フィルムの延伸方向と第二種の複屈折層用の原反フィルムの延伸方向とは直交するため、上記製造方法により製造された液晶表示装置において、第一の偏光子の吸収軸と第一種の複屈折層の面内遅相軸とは直交しており、第二の偏光子の吸収軸と第二種の複屈折層の面内遅相軸とは平行している。更に、横延伸の場合、延伸時にロール幅方向の伸張に伴い、フィルム厚み方向は自由に収縮できる一方、ロール流れ方向はフィルム巻き取りのためのローラにより拘束されているため、自由収縮が阻害され、ロール幅方向だけでなくロール流れ方向にも延伸（縦横二軸延伸）したのと同様の効果が得られる。したがって、正の固有複屈折を持つ材料で構成される原反フィルムを横延伸することで製造された第一種の複屈折層は、結果として、ｎｘ＞＞ｎｙ＞ｎｚでＮｚ＞１を満たすことが多く、負の固有複屈折を持つ材料で構成される原反フィルムを横延伸することで製造された第二種の複屈折層は、結果として、ｎｘ＜＜ｎｙ＜ｎｚでＮｚ＜０を満たすことが多い。したがって、本発明の製造方法により製造された液晶表示装置によれば、第一種の複屈折層のＮｚ係数、第一種の複屈折層と第一の偏光子との軸関係、第二種の複屈折層のＮｚ係数、及び、第二種の複屈折層と第二の偏光子との軸関係が適切に調整されていることから、正面方向における第一の偏光子と第二の偏光子との直交性を保持しつつ、斜め方向においても第一の偏光子と第二の偏光子との直交性を保持することができ、その結果、広い視角範囲において高いコントスラト比を実現することができる。【００２０】
なお、本発明においては、偏光子（第一の偏光子、第二の偏光子）と複屈折層（第一種の複屈折層、第二種の複屈折層）とをロール・ツー・ロールで貼り合わせる際、偏光子用の原反フィルムを縦延伸し、複屈折層用の原反フィルムを横延伸しているが、偏光子用の原反フィルムの延伸方向と複屈折層用の原反フィルムの延伸方向とが直交する関係にある限り、偏光子用の原反フィルムを横延伸し、複屈折層用の原反フィルムを縦延伸する方法であってもよいように思われる。しかしながら、横延伸の場合、上述したように、実質的に縦横二軸延伸をしたのと同様の効果を生じることから、偏光子用の原反フィルムを横延伸すると、ヨウ素錯体等の二色性物質の配向度が低下し、高い偏光度を得られなくなるおそれがある。したがって、本発明においては、偏光子用の原反フィルムを横延伸し、複屈折層用の原反フィルムを縦延伸するのではなく、偏光子用の原反フィルムを縦延伸し、複屈折層用の原反フィルムを横延伸することで、偏光子と複屈折層とのロール・ツー・ロールによる貼り合わせを実現している。【００２１】
本明細書で「原反フィルム」とは、延伸前のフィルム（未延伸フィルム）のことである。「縦延伸」とは、原反フィルムをロール流れ方向に延伸することである。「横延伸」とは、原反フィルムをロール流れ方向に対して直交方向（ロール幅方向）に延伸することである。【００２２】
本発明の液晶表示装置の製造方法は、上記第一の工程及び第二の工程の少なくとも一方を構成要素として含むものである限り、その他の工程を構成要素として含んでいても含んでいなくてもよく、特に限定されるものではない。製造の更なる簡略化の観点から、本発明の液晶表示装置の製造方法は、上記第一の工程及び第二の工程の両方を含むことが好ましい。なお、第一の工程と第二の工程とを行う順番、時期等は特に限定されるものではなく、第一の工程と第二の工程とを並行して行ってもよいし、第一の工程を行ってから、第二の工程を行ってもよいし、第二の工程を行ってから、第一の工程を行ってもよい。【００２３】
上記第一種の複屈折層は、１．１≦Ｎｚ（５５０）≦２を満たし、面内遅相軸が上記第一の偏光子の吸収軸に対して９０°の角度をなすことが好ましい。これによれば、正面方向でのコントラスト比を低下させることなく、広い視角範囲において高いコントラスト比を実現する（視野角補償を行う）ことができる。また、このような形態の液晶表示装置は、上記製造方法を用いることにより、容易に製造されるものである。このように、上記第一種の複屈折層は、１．１≦Ｎｚ（５５０）≦２を満たし、面内遅相軸が上記第一の偏光子の吸収軸と直交する（実質的に直交する）してもよい。本明細書で「Ｎｚ（λ）」は、波長λｎｍにおけるＮｚ係数を表す。Ｎｚ係数は、複屈折層の面内方向の主屈折率をｎｘ、ｎｙ（ｎｘ＞ｎｙ）とし、面外方向の主屈折率をｎｚとしたとき、Ｎｚ＝（ｎｘ−ｎｚ）／（ｎｘ−ｎｙ）で定義される。第一種の複屈折層は、１．２≦Ｎｚ（５５０）≦１．６を満たすことがより好ましい。特に波長λの記載がない時は、本明細書中で主屈折率や位相差の測定波長は５５０ｎｍとする。また、同じＮｚ係数をもつ複屈折層でも、複屈折層の平均屈折率＝（ｎｘ＋ｎｙ＋ｎｚ）／３が異なれば、屈折角の影響で斜め方向からの入射に対して複屈折層の実効的な位相差が異なり、設計指針が複雑になってしまう。この問題を避けるため、本明細書では特に断りのない限り、各複屈折層の平均屈折率を１．５に統一してＮｚ係数を算出している。実際の平均屈折率が１．５と異なる複屈折層についても平均屈折率１．５を想定して換算してある。後出の位相差Ｒｘｚについても同様の扱いをしている。【００２４】
上記第二種の複屈折層は、−１≦Ｎｚ（５５０）≦−０．１を満たし、面内遅相軸が上記第二の偏光子の吸収軸に対して０°の角度をなすことが好ましい。これによれば、正面方向でのコントラスト比を低下させることなく、広い視角範囲において高いコントラスト比を実現する（視野角補償を行う）ことができる。また、このような形態の液晶表示装置は、上記製造方法を用いることにより、容易に製造されるものである。このように、上記第二種の複屈折層は、−１≦Ｎｚ（５５０）≦−０．１を満たし、面内遅相軸が上記第二の偏光子の吸収軸と平行する（実質的に平行する）してもよい。第二種の複屈折層は、−０．６≦Ｎｚ（５５０）≦−０．２を満たすことがより好ましい。【００２５】
本発明はまた、第一の偏光子、第一種の複屈折層、液晶セル、第二種の複屈折層、及び、上記第一の偏光子の吸収軸に対して吸収軸が直交する第二の偏光子をこの順に有する液晶表示装置であって、上記第一種の複屈折層は、１．１≦Ｎｚ（５５０）≦２を満たし、面内遅相軸が上記第一の偏光子の吸収軸に直交し、上記第二種の複屈折層は、−１≦Ｎｚ（５５０）≦−０．１を満たし、面内遅相軸が上記第二の偏光子の吸収軸と平行である液晶表示装置でもある。このような液晶表示装置によれば、正面方向でのコントラスト比を低下させることなく、広い視角範囲において高いコントラスト比を実現する（視野角補償を行う）ことができる。また、この液晶表示装置の製造方法は特に限定されるものではないが、例えば、本発明の液晶表示装置の製造方法によって容易に製造することができる。【００２６】
上述したように、保護フィルムの枚数を削減するためには、上記液晶表示装置は、液晶セル中の液晶分子を基板面に対して垂直に配向させることで黒表示を行うものであることが好ましい。液晶セル中の液晶分子を基板面に垂直に配向させることで黒表示を行う液晶表示モードとしては、ＴＮモード、ＥＣＢモード、ＶＡモード、ＯＣＢモード等が挙げられる。第一種の複屈折層は、１．２≦Ｎｚ（５５０）≦１．６を満たすことが好ましい。第二種の複屈折層は、−０．６≦Ｎｚ（５５０）≦−０．２を満たすことが好ましい。【００２７】
なお、正面方向でのコントラスト比を低下させることなく、広い視角範囲において高いコントラスト比を実現する（視野角補償を行う）ためには、基本的には、第一種の複屈折層の面内遅相軸と第一の偏光子の吸収軸とは、９０°の角度をなし、かつ、第二種の複屈折層の面内遅相軸と第二の偏光子の吸収軸とは、０°の角度をなしている必要がある。しかしながら、第一種の複屈折層の面内遅相軸と第一の偏光子の吸収軸とは、９０°から多少ずれた角度をなしていてもよく、第二種の複屈折層の面内遅相軸と第二の偏光子の吸収軸とは、０°から多少ずれた角度をなしていてもよい。その理由説明は次の通りである。正面方向でのコントラスト比を低下させないためには、（１）複屈折層が正面方向で機能しないことが必要であり、視野角補償を行うためには、（２）複屈折層が斜め方向で有効に機能する必要がある。そして、（１）の条件を満足するためには、複屈折層と偏光子との軸関係は、（ａ）正面方向から観察したときに、偏光子の光学軸と複屈折層の光学軸とが平行であること（図１２（ａ））、及び、（ｂ）正面方向から観察したときに、偏光子の光学軸と複屈折層の光学軸とが直交であること（図１３（ａ））のいずれかの関係を満足する必要がある。なお、本明細書で「光学軸」とは、結晶光学分野でいう厳密な意味での光学軸とは異なり、次の定義に従うとする。すなわち、「光学軸」とは、複屈折層の三つの主屈折率のうち、それらの平均値との差の絶対値が最大である主屈折率に対応する主軸を意味する。そのため、複屈折層が光学的に二軸性を有するときも、該複屈折層の「光学軸」は二本ではなく一本である。このように、二軸性の複屈折層の「光学軸」は、それを一軸性の複屈折層に光学的に近似した場合の従来定義の光学軸に相当する。更に、上記（２）の条件を満足するためには、（ａ）の関係ではなく、（ｂ）の関係を満足する必要がある。なぜなら、偏光子と複屈折層との積層体に光が斜め方向から入射する場合、該斜め方向から観察したときの偏光子の実効的な透過軸と、該斜め方向からの入射光に対する複屈折層の２つの固有振動モードの振動方向（電位変位ベクトルＤの振動方向）の一つとが平行であれば、複屈折層は該斜め方向において実質的に全く寄与しない。すなわち、該斜め方向において複屈折層が有効に機能するためには、該斜め方向から観察したときの偏光子の実効的な透過軸と複屈折層の固有偏光モードの振動方向とが平行でも直交でもないことが必要である。（ａ）のように、偏光子の光学軸と複屈折層の光学軸とが平行であると、図１２（ｂ）に示すように、どの方向から観察したときも、偏光子の実効的な透過軸と、複屈折層の２つの固有振動モードの振動方向の一つとが平行となるため、複屈折層は有効に機能しない。これに対し、（ｂ）のように、偏光子の光学軸と複屈折層の光学軸とが直交していると、図１３（ｂ）に示すように、斜め方向において、偏光子の実効的な透過軸と複屈折層の固有偏光モードの振動方向とが平行でも直交でもなくなるため、複屈折層は有効に機能する。本発明においては、偏光子として、ＰＶＡフィルムに２色性を有するヨウ素錯体等の異方性材料を吸着配向させた、いわゆるＯタイプ偏光子を用いることが好ましい。Ｏタ���プ偏光子とは、素子平面内の特定の方向（吸収軸と定義）に振動する光を吸収し、素子平面内で吸収軸に直交する方向（透過軸と定義）に振動する光、及び、素子法線方向に振動する光を透過する偏光子のことである。すなわち、Ｏタイプ偏光子とは、１本の吸収軸と２本の透過軸とを有する偏光子のことであり、Ｏタイプ偏光子の光学軸は、吸収軸の方向を向いている。一方、第一種の複屈折層は、Ｎｚ＝１を満たすとき、一軸性の複屈折層となり、面内進相軸が光学軸となるので、１．１≦Ｎｚ（５５０）≦２を満たすときも、第一種の複屈折層の光学軸は、面内遅相軸と平行な方向を向いている。したがって、第一種の複屈折層の面内遅相軸と第一の偏光子の吸収軸とは、基本的には、９０°の角度をなしている必要があるが、正面方向でのコントラスト比を低下させることなく、視野角補償を行うことができる範囲であれば、９０°から多少ずれていてもよい。具体的には、９０°から±１°の範囲内であれば本発明の作用効果が充分に得られる。一方、第二種の複屈折層は、Ｎｚ＝０を満たすとき、一軸性の複屈折層となり、面内遅相軸に直交する軸（面内進相軸）が光学軸となるので、−１≦Ｎｚ（５５０）≦−０．１を満たすときも、第二種の複屈折層の光学軸は、面内進相軸と平行な方向を向いている。したがって、第二種の複屈折層の面内遅相軸と第二の偏光子の吸収軸とは、基本的には、０°の角度をなしている必要があるが、正面方向でのコントラスト比を低下させることなく、視野角補償を行うことができる範囲であれば、０°から多少ずれていてもよい。具体的には、０°から±１°の範囲内であれば本発明の作用効果が充分に得られる。【００２８】
このように、本発明は、第一の偏光子、第一種の複屈折層、液晶セル、第二種の複屈折層、及び、上記第一の偏光子の吸収軸に対して吸収軸が直交する第二の偏光子をこの順に有する液晶表示装置であって、上記第一種の複屈折層は、１．１≦Ｎｚ（５５０）≦２を満たし、面内遅相軸が上記第一の偏光子の吸収軸に対して９０°（実質的に９０°）の角度をなし、上記第二種の複屈折層は、−１≦Ｎｚ（５５０）≦−０．１を満たし、面内遅相軸が上記第二の偏光子の吸収軸に対して０°（実質的に０°）の角度をなす液晶表示装置でもある。【００２９】
本発明の液晶表示装置は、上記第一の偏光子、第二の偏光子、液晶セル、第一種の複屈折層及び第二種の複屈折層を構成要素として備えるものである限り、その他の部材を構成要素として有していても有していなくてもよく、特に限定されるものではない。【００３０】
本発明の液晶表示装置における好ましい形態について以下に詳しく説明する。なお、これらの好ましい形態の液晶表示装置を製造する方法は、特に限定されるものではないが、本発明の液晶表示装置の製造方法によって容易に製造することができるものである。すなわち、本発明の液晶表示装置の製造方法は、本発明の液晶表示装置の製造に適している。【００３１】
上記第一種の複屈折層は、正の固有複屈折を持つ材料で構成されることが好ましい。これにより、本発明の液晶表示装置の製造方法を用いて本発明の液晶表示装置を容易に作製することができるので、本発明の液晶表示装置の性能向上及び生産性向上を実現することができる。【００３２】
上記第二種の複屈折層は、負の固有複屈折を持つ材料で構成されることが好ましい。これにより、本発明の液晶表示装置の製造方法を用いて本発明の液晶表示装置を容易に作製することができるので、本発明の液晶表示装置の性能向上及び生産性向上を実現することができる。【００３３】
上記液晶表示装置は、上記第一種の複屈折層のＮｚ（５５０）と上記第二種の複屈折層のＮｚ（５５０）との相加平均をＮｚ’（５５０）と定義するとき、０≦Ｎｚ’（５５０）≦１を満たすことが好ましい。これによれば、斜め方向においても第一の偏光子と第二の偏光子との直交性を良好に保持することができるため、広い視角範囲において、より高いコントラスト比を実現することができる。斜め方向においても第一の偏光子と第二の偏光子との直交性をより良好に保持するためには、上記液晶表示装置は、０．３≦Ｎｚ’（５５０）≦０．７を満たすことがより好ましく、０．４≦Ｎｚ’（５５０）≦０．６を満たすことが更に好ましく、Ｎｚ’（５５０）＝０．５を満たすことが特に好ましい。【００３４】
上記第一種の複屈折層及び上記第二種の複屈折層の少なくとも一方は、|Ｒｘｙ（５５０）|≦１３０ｎｍを満たすことが好ましく、|Ｒｘｙ（５５０）|≦１１０ｎｍを満たすことがより好ましく、|Ｒｘｙ（５５０）|≦１００ｎｍを満たすことが更に好ましい。上記第一種の複屈折層及び上記第二種の複屈折層の両方が|Ｒｘｙ（５５０）|≦１３０ｎｍを満たすことがより好ましく、|Ｒｘｙ（５５０）|≦１１０ｎｍを満たすことが更に好ましく、|Ｒｘｙ（５５０）|≦１００ｎｍを満たすことが特に好ましい。|Ｒｘｙ（５５０）|の数値が小さければ小さいほど、|Ｒｘｙ（４５０）|≦|Ｒｘｙ（５５０）|≦|Ｒｘｙ（６５０）|を満たすフィルム（逆波長分散位相差フィルム）としやすく、逆波長分散位相差フィルムとすれば、広い視角範囲において、黒表示時における着色を低減することができ、コントラスト比が高い液晶表示を実現することができるからである。【００３５】
上記液晶表示装置の好適な形態としては、第一種及び第二種の複屈折層の２軸性の度合いの差から、次のように分類することができる。第一種の複屈折層は、一軸性の複屈折層のとき、Ｎｚ＝１を満たし、第二種の複屈折層は、一軸性の複屈折層のとき、Ｎｚ＝０を満たすことから、上記第一種の複屈折層の二軸性パラメータΔＮｚ１を|Ｎｚ（５５０）−１|と定義し、上記第二種の複屈折層の二軸性パラメータΔＮｚ２を|Ｎｚ（５５０）|と定義する。なお、上記第一種の複屈折層は、１．１≦Ｎｚ（５５０）≦２を満たし、上記第二種の複屈折層は、−１≦Ｎｚ（５５０）≦−０．１を満たすため、上記液晶表示装置は、０．１≦ΔＮｚ１≦１、かつ、０．１≦ΔＮｚ２≦１を満たす。このとき、上記液晶表示装置の好適な形態としては、（１）ΔＮｚ１＝ΔＮｚ２を満たす形態、（２）ΔＮｚ１＜ΔＮｚ２を満たす形態、（３）ΔＮｚ１＞ΔＮｚ２を満たす形態が挙げられる。【００３６】
上記（１）の形態は、第一種及び第二種の複屈折層の２軸性の度合いが同一の形態であり、Ｎｚ’（５５０）＝０．５を満たす。この形態によれば、第一種及び第二種の複屈折層に必要な位相差|Ｒｘｙ（５５０）|を互いに略等しくし、かつ、低減することができるため、第一種及び第二種の複屈折層の少なくとも一方を、|Ｒｘｙ（４５０）|≦|Ｒｘｙ（５５０）|≦|Ｒｘｙ（６５０）|を満たすフィルム（逆波長分散位相差フィルム）とすることができ、その結果、広い視角範囲において、黒表示時における着色を低減することができ、コントラスト比が高い液晶表示を実現することができる。図１４及び下記表１は、ΔＮｚ１＝ΔＮｚ２を満たすときの、ΔＮｚ１及びΔＮｚ２と最適な|Ｒｘｙ（５５０）|との関係を示す図である（図中の■は、第一種の複屈折層を表し、△は、第二種の複屈折層を表す。）。【００３７】
【表１】
2009098804.tif 000003
【００３８】
図１４及び表１より、|Ｒｘｙ（５５０）|が６４ｎｍ未満であると、ΔＮｚ１及びΔＮｚ２が最大（ΔＮｚ１＝ΔＮｚ２＝１）のときにも、本発明の作用効果が得られないおそれがある。|Ｒｘｙ（５５０）|が８７ｎｍを超えると、ΔＮｚ１及びΔＮｚ２が最小（ΔＮｚ１＝ΔＮｚ２＝０．１）のときにも、本発明の作用効果が得られないおそれがある。【００３９】
上記（２）の形態は、第一種の複屈折層の二軸性パラメータが相対的に小さく、第二種の複屈折層の二軸性パラメータが相対的に大きい形態である。この形態によれば、上記（１）の形態に比べて、第二種の複屈折層に必要な位相差|Ｒｘｙ（５５０）|を低減することができるため、第二種の複屈折層を、|Ｒｘｙ（４５０）|≦|Ｒｘｙ（５５０）|≦|Ｒｘｙ（６５０）|を満たすフィルム（逆波長分散位相差フィルム）とすることができ、その結果、広い視角範囲において、黒表示時における着色を低減することができ、コントラスト比が高い液晶表示を実現することができる。図１５及び下記表２は、ΔＮｚ１＝０かつ０＜ΔＮｚ２を満たすときの、ΔＮｚ１及びΔＮｚ２と最適な|Ｒｘｙ（５５０）|との関係を示す図である（図中の■は、第一種の複屈折層を表し、△は、第二種の複屈折層を表す。）。【００４０】
【表２】
2009098804.tif 000004
【００４１】
本発明では、０．１≦ΔＮｚ１であるが、ΔＮｚ１がΔＮｚ２に近づけば近づくほど、上記（１）の形態（ΔＮｚ１＝ΔＮｚ２）に近づく。したがって、上記（２）の形態について、ΔＮｚ１及びΔＮｚ２に対する最適な|Ｒｘｙ（５５０）|は、表１から読み取れる最適|Ｒｘｙ（５５０）|と、表２から読み取れる最適|Ｒｘｙ（５５０）|との間にあると考えられる。【００４２】
上記（３）の形態は、第一種の複屈折層の二軸性パラメータが相対的に大きく、第二種の複屈折層の二軸性パラメータが相対的に小さい形態である。この形態によれば、上記（１）の形態に比べて、第一種の複屈折層に必要な位相差|Ｒｘｙ（５５０）|を低減することができるため、第一種の複屈折層を、|Ｒｘｙ（４５０）|≦|Ｒｘｙ（５５０）|≦|Ｒｘｙ（６５０）|を満たすフィルム（逆波長分散位相差フィルム）とすることができ、その結果、広い視角範囲において、黒表示時における着色を低減することができ、コントラスト比が高い液晶表示を実現することができる。図１６及び下記表３は、ΔＮｚ２＝０かつ０＜ΔＮｚ１を満たすときの、ΔＮｚ１及びΔＮｚ２と最適な|Ｒｘｙ（５５０）|との関係を示す図である（図中の■は、第一種の複屈折層を表し、△は、第二種の複屈折層を表す。）。【００４３】
【表３】
2009098804.tif 000005
【００４４】
本発明では、０．１≦ΔＮｚ１であるが、ΔＮｚ２がΔＮｚ１に近づけば近づくほど、上記（１）の形態（ΔＮｚ１＝ΔＮｚ２）に近づく。したがって、上記（３）の形態について、各ΔＮｚ１及びΔＮｚ２に対する最適な|Ｒｘｙ（５５０）|は、表１から読み取れる最適|Ｒｘｙ（５５０）|と、表３から読み取れる最適|Ｒｘｙ（５５０）|との間にあると考えられる。【００４５】
上記第一種の複屈折層及び上記第二種の複屈折層の少なくとも一方は、|Ｒｘｙ（４５０）|≦|Ｒｘｙ（５５０）|≦|Ｒｘｙ（６５０）|を満たすことが好ましい。これによれば、第一種及び第二種の複屈折層の少なくとも一方が逆波長分散位相差フィルムであるため、広い視角範囲において、黒表示時における着色を低減することができ、コントラスト比が高い液晶表示を実現することができる。本明細書で「Ｒｘｙ（λ）」及び「Ｒｘｚ（λ）」は、それぞれ波長λｎｍにおける位相差Ｒｘｙ及びＲｘｚを表す。Ｒｘｙ、Ｒｘｚは、複屈折層の厚みをｄとしたとき、Ｒｘｙ＝（ｎｘ−ｎｙ）×ｄ（単位：ｎｍ）で定義され、Ｒｘｚ＝（ｎｘ−ｎｚ）×ｄ（単位：ｎｍ）で定義される。そして、「複屈折層の面内遅相軸」とは主屈折率ｎｘに対応する誘電主軸の方向（ｘ軸方向）のことである。上記液晶表示装置は、上記第一種の複屈折層の波長分散性α＝Ｒｘｙ（４５０）／Ｒｘｙ（５５０）と上記第二種の複屈折層の波長分散性α＝Ｒｘｙ（４５０）／Ｒｘｙ（５５０）との相加平均をα’と定義し、上記第一種の複屈折層の波長分散性β＝Ｒｘｙ（６５０）／Ｒｘｙ（５５０）と上記第二種の複屈折層の波長分散性β＝Ｒｘｙ（６５０）／Ｒｘｙ（５５０）との相加平均をβ’と定義するとき、α’≦１かつ１≦β’を満たすことがより好ましい。これによれば、クロスニコル配置された一対の偏光子（第一及び第二の偏光子）の間に配置される一対の複屈折層（第一種及び第二種の複屈折層）の実効的な波長分散条件を逆波長分散とすることができるため、黒表示における着色をより低減することができる。上記第一種及び第二種の複屈折層の両方が、|Ｒｘｙ（４５０）|≦|Ｒｘｙ（５５０）|≦|Ｒｘｙ（６５０）|を満たすことがより好ましい。【００４６】
上記液晶表示装置は、上記液晶セル中の液晶分子を基板面に垂直に配向させることで黒表示を行うものであり、上記第一の偏光子と上記第二の偏光子との間に、Ｒｘｙ≦１０ｎｍかつＲｘｚ≧１００ｎｍを満たす第三種の複屈折層を有することが好ましい。これにより、黒表示時に液晶セルが斜め方向に持つ余分な位相差をキャンセルすることができるため、広い視角範囲において、黒表示時における着色をより低減することができ、より高いコントラスト比を実現することができる。第三種の複屈折層は、０ｎｍ≦Ｒｘｙ≦１０ｎｍかつ１００ｎｍ≦Ｒｘｚ≦４００ｎｍを満たすことがより好ましい。本発明の作用効果を効果的に得るためには、上記第三種の複屈折層は、上記液晶セルと隣接配置されていることが好ましい。本明細書で「隣接配置」とは、液晶セルと第三種の複屈折層との間に複屈折媒体が設けられないことを意味し、例えば、第三種の複屈折層と液晶セルとの間に等方性フィルムが配置された形態も含まれる。
【発明の効果】
【００４７】
本発明の液晶表示装置の製造方法によれば、低コストかつ簡便に製造することができるとともに、広い視角範囲において高いコントスラト比を実現することができる。
【発明を実施するための最良の形態】
【００４８】
（複屈折層）
本発明に用いられる複屈折層としては、材料やその他の光学的性能について特に限定されず、例えば、無機材料から構成される薄板、ポリマーフィルムを延伸したもの、液晶性分子の配向を固定したもの等、いずれのものも用いることができる。複屈折層の製造方法については後述する。以下、複屈折層の種類別にさらに具体的に説明する。【００４９】
（第一種の複屈折層）
第一種の複屈折層には、固有複屈折が正のポリマーフィルムを延伸加工したもの等、従来のものを適宜用いることができる。固有複屈折が正のポリマーフィルム材料としては、例えば、ポリカーボネート、ポリサルフォン、ポリエーテルサルフォン、ポリエチレンテレフタレート、ポリエチレン、ポリビニルアルコール、ノルボルネン、トリアセチルセルロース、ジアチルセルロース等が挙げられる。【００５０】
（第二種の複屈折層）
第二種の複屈折層には、固有複屈折が負のポリマーフィルムを延伸加工したもの、固有複屈折が正の樹脂フィルムを熱収縮性フィルムの収縮力の作用下で延伸加工したもの等、従来のものが適宜用いることができるが、製造方法の簡便化の観点からは、固有複屈折が負のポリマーフィルムを延伸加工したものが好ましい。固有複屈折が負のポリマーフィルム材料としては、例えば、ポリスチレン、ポリビニルナフタレン、ポリビニルビフェニル、ポリビニルピリジン、ポリメチルメタクリレート、ポリメチルアクリレート、Ｎ置換マレイミド共重合体、フルオレン骨格を有するポリカーボネート等が挙げられる。【００５１】
（第三種の複屈折層）
第三種の複屈折層には、固有複屈折が正のポリマーフィルムを延伸加工したもの、カイラルネマチック液晶、ディスコチック液晶等の液晶性化合物を塗布したもの、ポリイミドやポリアミド等を含む非液晶化合物を塗布したもの等、従来のものを適宜用いることができる。【００５２】
（偏光子）
偏光子には、従来のものが適宜用いることができ、例えば、ポリビニルアルコール（ＰＶＡ）フィルムに２色性を有するヨウ素錯体等の異方性材料を吸着配向させたもの等が挙げられる。
（液晶セル）
液晶セルには、従来のものが適宜用いることができる。このような液晶表示パネルとしては、例えば、ＴＮモード、ＥＣＢモード、ＶＡモード、ＯＣＢモード、ＩＰＳモードの液晶セルが挙げられる。ＶＡモードには、ＭＶＡモード、ＰＶＡモード、ＢＶＡモード、ＲｅｖｅｒｓｅＴＮモード等が含まれる。【００５３】
（位相差Ｒｘｙ（５５０）、Ｒｘｚ（５５０）の測定方法）
分光エリプソメータ（商品名：Ｍ−２２０、日本分光社製）を用いて測定した。Ｒｘｙ（５５０）は位相差フィルムの法線方向から実測した。Ｒｘｚ（５５０）は位相差フィルムの法線方向、法線方向から４０°傾斜した斜め方向、−４０°傾斜した斜め方向の各方向から位相差を測定し、公知の屈折率楕円体式のカーブフィッティングにより算出した。傾斜方位は面内遅相軸と直交する方位とした。【００５４】
（Ｎｚ、ｎｘ、ｎｙ、ｎｚの測定方法）
デュアル・リターダー・ローテート方式のポーラリメータ（Ａｘｏｍｅｔｒｉｃｓ社製、商品名：Ａｘｏ−ｓｃａｎ）を用いて測定した。ｎｘ、ｎｙ、ｎｚ及びＮｚは、複屈折層の法線方向、法線方向から−５０°〜５０°傾斜した各斜め方向から位相差を測定し、公知の屈折率楕円体式のカーブフィッティングにより算出した。傾斜方位は面内遅相軸と直交する方位とした。また、ｎｘ、ｎｙ、ｎｚ及びＮｚは、カーブフィッティングの計算条件として与える平均屈折率＝（ｎｘ＋ｎｙ＋ｎｚ）／３に依存するが、各複屈折層の平均屈折率を１．５に統一して計算した。実際の平均屈折率が１．５と異なる複屈折層についても平均屈折率１．５を想定して換算した。【００５５】
（液晶表示装置のコントラスト視野角測定方法）
視野角測定装置（ＥＬＤＩＭ社製、商品名：ＥＺＣｏｎｔｒａｓｔ１６０）を用いて測定した。光源にはシャープ社製液晶テレビ（商品名：ＬＣ３７−ＧＨ１）搭載のバックライトを用いた。方位４５°、極６０°の斜め方向における白表示と黒表示の輝度を測定し、その比をＣＲ（４５、６０）とした。【００５６】
以下に実施例を掲げ、本発明を更に詳細に説明するが、本発明はこれらの実施例のみに限定されるものではない。【００５７】
（実施例１）
図１は、実施例１の液晶表示装置の構成を模式的に示す斜視図である。
本発明に係る実施例１の液晶表示装置は、図１に示すように、ＴＡＣフィルム１０ａ、第一の偏光子１１ａ、正の固有複屈折を持つ材料で構成された第一種の複屈折層２１ａ、第三種の複屈折層２３ａ、ＶＡモード液晶セル５０ａ、負の固有複屈折を持つ材料で構成された第二種の複屈折層２２ａ、第二の偏光子１２ａ、ＴＡＣフィルム２０ａをこの順に積層して得られたＶＡモードの液晶表示装置１００ａである。本実施例の各種複屈折フィルム、偏光子、液晶セルの光学特性及び軸設定については表４に示すとおりである。ＶＡモード液晶セル５０ａは、対向する背面側基板１ａ及び観察面側基板２ａと、両基板１ａ、２ａに狭持され、液晶分子３ａを含む液晶層とを有する。液晶分子３ａは、電圧無印加時に長軸Ｌが両基板１ａ、２ａに対して略垂直に向くように配向する。【００５８】
なお、偏光子の外側（液晶セルに近い方を内側と定義し、遠い方を外側と定義する）のＴＡＣフィルムは、透明でさえあれば液晶表示装置の性能に影響を与えないので、表４では光学特性の説明は省略してある。以下の各例についても同様である。表中、各複屈折層の軸は面内遅相軸の方位角で定義し、各偏光子の軸は吸収軸で定義してある。表中、各複屈折層の材料名及び固有複屈折（複屈折）Δｎについては、以下の略号を用いて示してある。
ＰＭＭＡ：ポリメチルメタクリレート（固有複屈折Δｎ：負）
ＮＢ：ノルボルネン（固有複屈折Δｎ：正）
ＴＡＣ：トリアセチルセルロース（固有複屈折Δｎ：アセチル化度によって異なるが、一般には正）
Ｚ：等方性フィルム（固有複屈折Δｎ：正）
Ｇ：逆分散性樹脂フィルム（固有複屈折Δｎ：正）
ＰＣ：ポリカーボネート（固有複屈折Δｎ：正）
ＮＭ：Ｎ置換マレイミド共重合体（固有複屈折Δｎ：負）
ＣｈＬＣ：コレステリック液晶（複屈折Δｎ：負）【００５９】
また、表中、α、β、α’及びβ’については、下記式（１）〜（４）で表される。
α＝|Ｒｘｙ（４５０）|／|Ｒｘｙ（５５０）|      （１）
β＝|Ｒｘｙ（６５０）|／|Ｒｘｙ（５５０）|      （２）
α’＝（α１＋α２）／２      （３）
β’＝（β１＋β２）／２      （４）
なお、α１、α２はそれぞれ、第一種の複屈折層、第二種の複屈折層のαのことであり、β１、β２はそれぞれ、第一種の複屈折層、第二種の複屈折層のβのことである。【００６０】
以下、実施例１の液晶表示装置の製造方法について説明する。
（１）ロール状部材の製造
まず、ロール状のＴＡＣフィルム１０ａ、２０ａ、ロール状の第一種の複屈折層２１ａ、ロール状の第二種の複屈折層２２ａ、及び、ロール状の第三種の複屈折層２３ａを製造する。
具体的には、ロール状のＴＡＣフィルム１０ａ、２０ａ、及び、ロール状の第三種の複屈折層２３ａは、溶融流延法（キャスト法）等を用いて製造される。
ロール状の第一種の複屈折層２１ａは、図２（ａ）に示すように、位相差機能付加部７１において、正の固有複屈折を持つ材料で構成される第一種の複屈折層用の原反フィルム７１ａを横延伸（ロール幅方向に延伸）し、ロール状に巻き取ることで製造される。
ロール状の第二種の複屈折層２２ａは、図２（ｄ）に示すように、位相差機能付加部７２において、負の固有複屈折を持つ材料で構成される第二種の複屈折層用の原反フィルム７２ａを横延伸（ロール幅方向に延伸）し、ロール状に巻き取ることで製造される。【００６１】
（２）ロール・ツー・ロールによる貼り合わせ
図２（ｂ）に示すように、偏光機能付加部７３において第一の偏光子用の原反フィルム７３ａを縦延伸（ロール流れ方向に延伸）することで、第一の偏光子１１ａを製造し、接着剤塗布部７４においてＴＡＣフィルム１０ａに接着剤を塗布し、貼り合わせ処理部７５ａにおいて第一の偏光子１１ａとＴＡＣフィルム１０ａとを接着剤を介してロール・ツー・ロールで連続的に貼り合わせ、ロール状に巻き取る（ロール状部材９０を製造する）。次に、図２（ｃ）に示すように、接着剤塗布部７６において第一種の複屈折層２１ａに接着剤を塗布し、貼り合わせ処理部７５ｂにおいてＴＡＣフィルムが貼り合わされた第一の偏光子９０と第一種の複屈折層２１ａとを接着剤を介してロール・ツー・ロールで連続的に貼り合わせ、ロール状に巻き取る（ロール状部材９１を製造する）。同様に、第一の偏光子１１ａ等に貼り合わされた第一種の複屈折層２１ａと第三種の複屈折層２３ａとを接着剤を介してロール・ツー・ロールで連続的に貼り合わせる。これにより得られた第一の偏光板８０ａは、乾燥した後、ロール状に巻き取られる。【００６２】
他方、図２（ｅ）に示すように、偏光機能付加部７７において第二の偏光子の原反フィルム７７ａを縦延伸することで、第二の偏光子１２ａを製造し、接着剤塗布部７８においてＴＡＣフィルム２０ａに接着剤を塗布し、貼り合わせ処理部７５ｃにおいて第二の偏光子１２ａとＴＡＣフィルム２０ａとを接着剤を介してロール・ツー・ロールで連続的に貼り合わせ、ロール状に巻き取る（ロール状部材９２を製造する）。次に、図２（ｆ）に示すように、接着剤塗布部７９において第二種の複屈折層２２ａに接着剤を塗布し、貼り合わせ処理部７５ｄにおいてＴＡＣフィルムが貼り合わされた第二の偏光子９２と第二種の複屈折層２２ａとを接着剤を介してロール・ツー・ロールで連続的に貼り合わせる。これにより得られた第二の偏光板８１ａは、乾燥した後、ロール状に巻き取られる。【００６３】
（３）液晶セルへの貼り付け
第一及び第二の偏光板８０ａ、８１ａからそれぞれ離型フィルム（ＰＥＴフィルム等）を剥がし、その中にある粘着剤を介してＶＡモード液晶セル５０ａに貼り付ける。
これにより、実施例１の液晶表示装置は完成する。【００６４】
（実施例２〜５）
本発明に係る実施例２〜５の液晶表示装置は、ΔＮｚ１及びΔＮｚ２の値（同値）を０．１、０．２、０．６、１．０に変更したことを除いては、実施例１とほとんど同様の液晶表示装置である。本実施例の各種複屈折フィルム、偏光子、液晶セルの光学特性及び軸設定については表４に示すとおりである。【００６５】
【表４】
2009098804.tif 000006
【００６６】
（実施例６）
本発明に係る実施例６の液晶表示装置は、第二種の複屈折層の材料を変更したことを除いては、実施例１とほとんど同様の液晶表示装置である。本実施例の各種複屈折フィルム、偏光子、液晶セルの光学特性及び軸設定については表５に示すとおりである。【００６７】
【表５】
2009098804.tif 000007
【００６８】
（実施例７）
本発明に係る実施例７の液晶表示装置は、第一種の複屈折層の材料を逆波長分散性を示す材料に変更したことを除いては、実施例１とほとんど同様の液晶表示装置である。本実施例の各種複屈折フィルム、偏光子、液晶セルの光学特性及び軸設定については表６に示すとおりである。【００６９】
【表６】
2009098804.tif 000008
【００７０】
（実施例８）
本発明に係る実施例８の液晶表示装置は、ΔＮｚ１＜ΔＮｚ２（ΔＮｚ１＝０．１、ΔＮｚ２＝０．３）に変更したことを除いては、実施例１とほとんど同様の液晶表示装置である。本実施例の各種複屈折フィルム、偏光子、液晶セルの光学特性及び軸設定については表７に示すとおりである。【００７１】
【表７】
2009098804.tif 000009
【００７２】
（実施例９）
本発明に係る実施例９の液晶表示装置は、ΔＮｚ１＞ΔＮｚ２（ΔＮｚ１＝０．３、ΔＮｚ２＝０．１）に変更したことを除いては、実施例１とほとんど同様の液晶表示装置である。本実施例の各種複屈折フィルム、偏光子、液晶セルの光学特性及び軸設定については表８に示すとおりである。【００７３】
【表８】
2009098804.tif 000010
【００７４】
（実施例１０）
本発明に係る実施例１０の液晶表示装置は、第一種の複屈折層のΔＮｚ１を実施例９よりも大きくしたものである。本実施例の各種複屈折フィルム、偏光子、液晶セルの光学特性及び軸設定については表９に示すとおりである。【００７５】
【表９】
2009098804.tif 000011
【００７６】
（実施例１１）
本発明に係る実施例１１の液晶表示装置は、第一種の複屈折層の材料を逆波長分散性を示す材料に変更したことを除いては、実施例１０とほとんど同様の液晶表示装置である。本実施例の各種複屈折フィルム、偏光子、液晶セルの光学特性及び軸設定については表１０に示すとおりである。【００７７】
【表１０】
2009098804.tif 000012
【００７８】
（実施例１２）
本発明に係る実施例１２の液晶表示装置は、第二種の複屈折層の材料を正の固有複屈折を持つ材料に変更したことを除いては、実施例１とほとんど同様の液晶表示装置である。本実施例の各種複屈折フィルム、偏光子、液晶セルの光学特性及び軸設定については表１１に示すとおりである。【００７９】
【表１１】
2009098804.tif 000013
【００８０】
（実施例１３）
本発明に係る実施例１３の液晶表示装置は、第一種の複屈折層の材料を逆波長分散性を示す材料に変更したことを除いては、実施例１２とほとんど同様の液晶表示装置である。本実施例の各種複屈折フィルム、偏光子、液晶セルの光学特性及び軸設定については表１２に示すとおりである。【００８１】
【表１２】
2009098804.tif 000014
【００８２】
（実施例１４）
本発明に係る実施例１４の液晶表示装置は、第二種の複屈折層の材料を逆波長分散性を示す材料に変更したことを除いては、実施例１２とほとんど同様の液晶表示装置である。本実施例の各種複屈折フィルム、偏光子、液晶セルの光学特性及び軸設定については表１３に示すとおりである。【００８３】
【表１３】
2009098804.tif 000015
【００８４】
（実施例１５）
本発明に係る実施例１５の液晶表示装置は、第一種及び第二種の複屈折層の材料を逆波長分散性を示す材料に変更したことを除いては、実施例１２とほとんど同様の液晶表示装置である。本実施例の各種複屈折フィルム、偏光子、液晶セルの光学特性及び軸設定については表１４に示すとおりである。【００８５】
【表１４】
2009098804.tif 000016
【００８６】
（比較例１）
図３は、比較例１の液晶表示装置の構成を模式的に示す斜視図である。
比較例１の液晶表示装置は、図３に示すように、ＴＡＣフィルム１０ｂ、第一の偏光子１１ｂ、ＴＡＣフィルム２０ｂ、ＶＡモード液晶セル５０ｂ、ＴＡＣフィルム３０ｂ、第二の偏光子１２ｂ、ＴＡＣフィルム４０ｂをこの順に積層して得られたＶＡモードの液晶表示装置２００ｂである。本比較例の各種複屈折フィルム、偏光子、液晶セルの光学特性及び軸設定については表１５に示すとおりである。【００８７】
（比較例２）
図４は、比較例２の液晶表示装置の構成を模式的に示す斜視図である。
比較例２の液晶表示装置は、図４に示すように、ＴＡＣフィルム１０ｃ、第一の偏光子１１ｃ、２軸性位相差フィルム６０ｃ、ＶＡモード液晶セル５０ｃ、ＴＡＣフィルム２０ｃ、第二の偏光子１２ｃ、ＴＡＣフィルム３０ｃをこの順に積層して得られたＶＡモードの液晶表示装置２００ｃである。本比較例の各種複屈折フィルム、偏光子、液晶セルの光学特性及び軸設定については表１５に示すとおりである。【００８８】
（比較例３）
図５は、比較例３の液晶表示装置の構成を模式的に示す斜視図である。
比較例３の液晶表示装置は、図５に示すように、ＴＡＣフィルム１０ｄ、第一の偏光子１１ｄ、第一の２軸性位相差フィルム６０ｄ、ＶＡモード液晶セル５０ｄ、第二の２軸性位相差フィルム６１ｄ、第二の偏光子１２ｄ、ＴＡＣフィルム２０ｄをこの順に積層して得られたＶＡモードの液晶表示装置２００ｄである。本比較例の各種複屈折フィルム、偏光子、液晶セルの光学特性及び軸設定については表１５に示すとおりである。【００８９】
【表１５】
2009098804.tif 000017
【００９０】
（参考例１）
図６は、参考例１の液晶表示装置の構成を模式的に示す斜視図である。
参考例１の液晶表示装置は、図６に示すように、ＴＡＣフィルム１０ｅ、第一の偏光子１１ｅ、ネガティブＣプレート２３ｅ、ＶＡモード液晶セル５０ｅ、ポジティブＡプレート２１ｅ、第二の偏光子１２ｅ、ＴＡＣフィルム２０ｅをこの順に積層して得られたＶＡモードの液晶表示装置２００ｅである。本参考例の各種複屈折フィルム、偏光子、液晶セルの光学特性及び軸設定については表１６に示すとおりである【００９１】
（参考例２）
図７は、参考例２の液晶表示装置の構成を模式的に示す斜視図である。
参考例２の液晶表示装置は、図７に示すように、ＴＡＣフィルム１０ｆ、第一の偏光子１１ｆ、ネガティブＣプレート２３ｆ、ＶＡモード液晶セル５０ｆ、ポジティブＣプレート２５ｆ、ポジティブＡプレート２１ｆ、第二の偏光子１２ｆ、ＴＡＣフィルム２０ｆをこの順に積層して得られたＶＡモードの液晶表示装置２００ｆである。本参考例の各種複屈折フィルム、偏光子、液晶セルの光学特性及び軸設定については表１６に示すとおりである。【００９２】
（参考例３）
図８は、参考例３の液晶表示装置の構成を模式的に示す斜視図である。
参考例３の液晶表示装置は、図８に示すように、ＴＡＣフィルム１０ｇ、第一の偏光子１１ｇ、ネガティブＣプレート２３ｇ、ＶＡモード液晶セル５０ｇ、３枚の２軸性位相差フィルム６０ｇ〜６２ｇ、第二の偏光子１２ｇ、ＴＡＣフィルム２０ｇをこの順に積層して得られたＶＡモードの液晶表示装置２００ｇである。本参考例の各種複屈折フィルム、偏光子、液晶セルの光学特性及び軸設定については表１６に示すとおりである。【００９３】
【表１６】
2009098804.tif 000018
【００９４】
（評価結果）
各例の液晶表示装置のコントラスト視野角及び色度視野角を測定し、ＣＲ（４５、６０）及びΔＥ（４５、６０）を表４〜１６に整理した。
本発明の実施例１〜１５の液晶表示装置のＣＲ（４５、６０）は、比較例１〜３のそれと同等以上であり、目視評価においても比較例１〜３と同等以上のコントラスト視野角を有していた。また、本発明の実施例１の液晶表示装置のΔＥ（４５、６０）は、ＣＲ（４５、６０）が同程度の比較例２及び３のそれよりも小さく、目視評価においても視角を変化させたときの色度変化感が小さく、比較例１〜３よりも良好な色度視野角を有していた。【００９５】
参考例１〜３の液晶表示装置のΔＥ（４５、６０）は、本発明の実施例１の液晶表示装置のそれよりも更に小さく、良好な色度視野角を有していたが、製造の難しいポジティブＣプレート、Ｎｚ≒０．５に制御された２軸性位相差フィルム、１１８ｎｍ以上の|Ｒｘｙ（５５０）|を有する逆波長分散位相差フィルムのいずれか一つの位相差フィルムを用いている。【００９６】
更に、本発明の実施例１〜１１の液晶表示装置は、第一種の複屈折層が正の固有複屈折を持つ材料で構成され、第二種の複屈折層が負の固有複屈折を持つ材料で構成されており、第一の偏光子と第一種の複屈折層、及び、第二の偏光子と第二種の複屈折層とをそれぞれロール・ツー・ロールで貼り合わせることができるため、ＴＡＣフィルム等の保護フィルムを削減することができ、その結果、性能向上及び生産性向上を実現することもできた。【００９７】
本願は、２００８年２月７日に出願された日本国特許出願２００８−２７９９８号を基礎として、パリ条約ないし移行する国における法規に基づく優先権を主張するものである。該出願の内容は、その全体が本願中に参照として組み込まれている。
【図面の簡単な説明】
【００９８】
【図１】実施例１の液晶表示装置の構成を模式的に示す斜視図である。
【図２】実施例１の液晶表示装置の製造工程の一部を示す模式図である。（ａ）は、第一種の複屈折層用の原反フィルムを横延伸することで第一種の複屈折層を製造する工程、（ｂ）は、第一の偏光子用の原反フィルムを縦延伸することで第一の偏光子を製造し、第一の偏光子とＴＡＣフィルムとをロール・ツー・ロールで貼り合わせる工程、（ｃ）は、ＴＡＣフィルムが貼り合わされた第一の偏光子と第一種の複屈折層とをロール・ツー・ロールで貼り合わせる工程、（ｄ）は、第二種の複屈折層用の原反フィルムを横延伸することで第二種の複屈折層を製造する工程、（ｅ）は、第二の偏光子用の原反フィルムを縦延伸することで第二の偏光子を製造し、第二の偏光子とＴＡＣフィルムとをロール・ツー・ロールで貼り合わせる工程、（ｆ）は、ＴＡＣフィルムが貼り合わされた第二の偏光子と第二種の複屈折層とをロール・ツー・ロールで貼り合わせる工程を示す。
【図３】比較例１の液晶表示装置の構成を模式的に示す斜視図である。
【図４】比較例２の液晶表示装置の構成を模式的に示す斜視図である。
【図５】比較例３の液晶表示装置の構成を模式的に示す斜視図である。
【図６】参考例１の液晶表示装置の構成を模式的に示す斜視図である。
【図７】参考例２の液晶表示装置の構成を模式的に示す斜視図である。
【図８】参考例３の液晶表示装置の構成を模式的に示す斜視図である。
【図９】従来の液晶表示装置の構成を模式的に示す断面図である。
【図１０】従来の液晶表示装置の構成を模式的に示す断面図である。
【図１１】本発明の液晶表示装置の構成の一例を模式的に示す断面図である。
【図１２】偏光子の光学軸と複屈折層の光学軸とが平行である形態を示す斜視図である。（ａ）は、正面方向から観察したときであり、（ｂ）は、斜め方向から観察したときである。
【図１３】偏光子の光学軸と複屈折層の光学軸とが直交である形態を示す斜視図である。（ａ）は、正面方向から観察したときであり、（ｂ）は、斜め方向から観察したときである。
【図１４】ΔＮｚ１＝ΔＮｚ２を満たすときの、ΔＮｚ１及びΔＮｚ２と最適な|Ｒｘｙ（５５０）|との関係を示す図である。■は、第一種の複屈折層を表し、△は、第二種の複屈折層を表す。
【図１５】ΔＮｚ１＝０かつ０＜ΔＮｚ２を満たすときの、ΔＮｚ１及びΔＮｚ２と最適な|Ｒｘｙ（５５０）|との関係を示す図である。■は、第一種の複屈折層を表し、△は、第二種の複屈折層を表す。
【図１６】ΔＮｚ２＝０かつ０＜ΔＮｚ１を満たすときの、ΔＮｚ１及びΔＮｚ２と最適な|Ｒｘｙ（５５０）｜との関係を示す図である。■は、第一種の複屈折層を表し、△は、第二種の複屈折層を表す。
【符号の説明】
【００９９】
１ａ〜１ｇ：背面側基板
２ａ〜２ｇ：観察面側基板
３ａ〜３ｇ：液晶分子
５：接着剤
７：粘着剤
８：偏光子
９：複屈折層
１０、１０ａ〜１０ｇ、２０ａ〜２０ｇ、３０ｂ、３０ｃ、４０ｂ：ＴＡＣフィルム（保護フィルム）
１１、１１ａ〜１１ｇ：第一の偏光子
１２、１２ａ〜１２ｇ：第二の偏光子
２１、２１ａ〜２１ｆ：第一種の複屈折層
２２、２２ａ：第二種の複屈折層
２３ａ〜２３ｇ：第三種の複屈折層
２４：等方性フィルム（ゼロ位相差保護フィルム）
２５ｆ：ポジティブＣプレート
５０ａ〜５０ｇ：ＶＡモード液晶セル
６０ｃ〜６０ｇ、６１ｄ、６１ｇ、６２ｇ：２軸性位相差フィルム
７１、７２：位相差機能付加部
７１ａ：第一種の複屈折層用の原反フィルム
７２ａ：第二種の複屈折層用の原反フィルム
７３、７７：偏光機能付加部
７３ａ：第一の偏光子用の原反フィルム
７４、７６、７８、７９：接着剤塗布部
７５ａ〜７５ｄ：貼り合わせ処理部
７７ａ：第二の偏光子用の原反フィルム
８０ａ：第一の偏光板
８１ａ：第二の偏光板
９０：ＴＡＣフィルムが貼り合わされた第一の偏光子
９１：ＴＡＣフィルム及び第一種の複屈折層が貼り合わされた第一の偏光子
９２：ＴＡＣフィルムが貼り合わされた第二の偏光子
１００ａ、２００ｂ〜２００ｇ：ＶＡモード液晶表示装置
ａ：偏光子の吸収軸
ａ（ｏ）：偏光子の吸収軸（偏光子の光学軸）
ｅ１（ｏ）：固有モード（複屈折層の光学軸）
ｅ２：固有モード
Ｌ：液晶分子の長軸
ｓ：遅相軸
ｔ：偏光子の透過軸
【図１】
2009098804.tif 000019
【図２】
2009098804.tif 000020
【図３】
2009098804.tif 000021
【図４】
2009098804.tif 000022
【図５】
2009098804.tif 000023
【図６】
2009098804.tif 000024
【図７】
2009098804.tif 000025
【図８】
2009098804.tif 000026
【図９】
2009098804.tif 000027
【図１０】
2009098804.tif 000028
【図１１】
2009098804.tif 000029
【図１２】
2009098804.tif 000030
【図１３】
2009098804.tif 000031
【図１４】
2009098804.tif 000032
【図１５】
2009098804.tif 000033
【図１６】
2009098804.tif 000034
【国際調査報告】
2009098804.tif 000035
2009098804.tif 000036
2009098804.tif 000037